【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
陽圧下の供給気体を送達するためのPAP装置と共に使用するための導管であって、
第1の導管端部と第2の導管端部とを有するフレキシブルな導管壁を備え、前記第1の導管端部が、気体供給部に取り付けられるようになされ、
前記導管壁は、
(a)前記導管壁が導管通路を形成し、それに沿って前記供給気体が前記第1の導管端部から前記第2の導管端部までの間で移動することができる開いた状態であって、前記導管壁は前記導管通路を通る体積流量を増大させるために前記開いた状態から拡張可能であるような開いた状態と、
(b)前記導管壁上へ転がる患者の頭部の力によって、前記導管壁が前記導管通路を実質的につぶす、つぶれた状態との間で変形可能であることを特徴とする導管。
【請求項２】
前記供給気体によって前記導管壁が前記開いた状態となることを特徴とする請求項1に記載の導管。
【請求項３】
前記導管壁が単一部片のシート材料から形成されることを特徴とする請求項1に記載の導管。
【請求項４】
前記導管壁が、互いに接合される少なくとも2部片のシート材料から形成されることを特徴とする請求項1に記載の導管。
【請求項５】
前記導管壁が可撓性の高分子シート材料から形成されることを特徴とする請求項1に記載の導管。
【請求項６】
前記導管壁が複数の材料の積層体から形成されることを特徴とする請求項1に記載の導管。
【請求項７】
前記導管壁が内壁部および外壁部を備える二重壁構造を有し、前記内壁部および外壁部が、それらの間に実質的に気密な空間を形成することを特徴とする請求項1に記載の導管。
【請求項８】
前記導管壁の少なくとも一部が弾性を有することを特徴とする請求項1に記載の導管。
【請求項９】
陽圧下の供給気体を送達するためにPAP装置と共に導管を使用するための方法において、
第1の導管端部と第2の導管端部とを有するフレキシブルな導管壁を備える導管を設けることであって、前記導管壁が、(a)前記導管壁が導管通路を形成し、それに沿って前記供給気体が前記第1の導管端部から前記第2の導管端部までの間で移動することができる開いた状態であって、前記導管壁は前記導管通路を通る体積流量を増大させるために前記開いた状態から拡張可能であるような開いた状態と、(b)前記導管壁上へ転がる患者の頭部の力によって、前記導管壁が前記導管通路を実質的につぶす、つぶれた状態との間で変形可能である導管を設けることと、
前記導管の前記第1の導管端部を前記気体供給部に結合させることと、
前記供給気体が前記第1の導管端部から前記第2の導管端部へと移動することを可能にするために、前記供給気体によって前記導管壁が前記開いた状態とされるように、前記供給気体を、前記第1の導管端部を通して前記導管内へと送達することと、
前記導管の前記第2の導管端部を、そこに供給気体が送達されるべき位置に配置することと、を含むことを特徴とする方法。
【請求項１０】
陽圧下の供給気体を送達するためのPAP装置と共に使用するための導管であって、
第1の導管端部と第2の導管端部とを有する導管壁を備え、前記第1の導管端部が、気体供給部に取り付けられるようになされ、
前記導管壁の少なくとも一部は織物シート材料から形成されていることを特徴とする導管。
【請求項１１】
陽圧下の供給気体を送達するためのPAP装置と共に使用するための導管であって、
第1の導管端部と第2の導管端部とを有する導管壁を備え、前記第1の導管端部が、気体供給部に取り付けられるようになされ、
前記導管壁の少なくとも一部は布から形成されていることを特徴とする導管。
【請求項１２】
陽圧下の供給気体を送達するためのPAP装置と共に使用するための導管であって、
第1の導管端部と第2の導管端部とを有する導管壁を備え、前記第1の導管端部が、気体供給部に取り付けられるようになされ、
前記導管壁の少なくとも一部はフロッキングを含むことを特徴とする導管。
【請求項１３】
前記フロッキングはフェルトフロッキングを含むことを特徴とする請求項12に記載の導管。
【請求項１４】
前記フロッキングは前記導管壁に対してビロード様の質感を付与することを特徴とする請求項12に記載の導管。
【請求項１５】
陽圧下の供給気体を送達するためのPAP装置と共に使用するための導管であって、
第1の導管端部と第2の導管端部とを有するフレキシブルな導管壁を備え、前記第1の導管端部が、気体供給部に取り付けられるようになされ、
前記導管壁の少なくとも一部は気体透過性材料から形成されていることを特徴とする導管。
【請求項１６】
前記一部は患者の鼻の近傍に沿って設けられることを特徴とする請求項15に記載の導管。
【請求項１７】
前記気体透過性材料は、そこを通る空気および吐き出された二酸化炭素を、ある程度の量漏らしまたは逃がすことを可能とするよう構成されていることを特徴とする請求項15に記載の導管。
【請求項１８】
前記気体透過性材料は、外に逃げる空気と共に水蒸気の通過を可能にするが、実質的に気密な通路を形成するよう構成されていることを特徴とする請求項15に記載の導管。
【請求項１９】
前記気体透過性材料は、絹またはその他の織物材料を含むことを特徴とする請求項15に記載の導管。
【請求項２０】
加圧された呼吸に適した気体を送達するためのPAP装置と共に使用するための導管であって、
前記導管は、フレキシブルな導管壁を備え、この導管壁は、前部およびこの前部と対向する後部を含み、前記後部は使用時に患者に面し、前記前部および前記後部は布材料からなり、前記管路壁は導入口および排出口を有し、前記導入口は気体の供給部に対して取り付けられるよう構成されており、
前記導管壁は、
(a)前記導管壁が拡張し、かつ、前記導入口と前記排出口との間を前記供給気体がそれに沿って移動できる導管通路を形成する開いた状態と、
(b)前記加圧された気体が存在しない状況下で前記導管壁が前記導管通路を実質的につぶす、つぶれた状態と、の間で変形可能であることを特徴とする導管。
【請求項２１】
前記導管の少なくとも一部は患者の鼻に適合するよう構成されていることを特徴とする請求項20に記載の導管。
【請求項２２】
前記導管は単一壁導管であることを特徴とする請求項20に記載の導管。
【請求項２３】
前記導管は二重壁導管であることを特徴とする請求項20に記載の導管。
【請求項２４】
前記布は、GORE-TEX(登録商標)、絹、織物材料あるいはPTFEであることを特徴とする請求項20に記載の導管。
【請求項２５】
前記フレキシブル導管壁は複数の材料の積層体であり、前記複数の材料の一つは布材料であることを特徴とする請求項20に記載の導管。
【請求項２６】
前記フレキシブル導管壁は織物材料であることを特徴とする請求項20に記載の導管。
【請求項２７】
前記フレキシブル導管壁はプラスチック材料であることを特徴とする請求項20に記載の導管。
【請求項２８】
前記導管の少なくとも一部は気体透過性を有することを特徴とする請求項20に記載の導管。
【請求項２９】
前記患者の鼻の近傍における導管の少なくとも一部は気体透過性を有することを特徴とする請求項20に記載の導管。
【請求項３０】
前記導入口に接続されたパイプをさらに具備してなることを特徴とする請求項20に記載の導管。
【請求項３１】
前記パイプに対して連結されたスイベルコネクターをさらに具備してなり、前記スイベルコネクターは、加圧された呼吸に適した気体の供給部に対して連結されるものであることを特徴とする請求項30に記載の導管。
【請求項３２】
前記導管は鼻マスクを具備してなることを特徴とする請求項20に記載の導管。
【請求項３３】
患者に対して、加圧された呼吸に適した気体を送達するための呼吸用マスクであって、
請求項20に記載の導管を具備してなることを特徴とする呼吸用マスク。
【請求項３４】
陽圧下で、加圧された呼吸に適した気体を送達するPAP装置と共に使用するための導管の使用方法であって、
フレキシブルな導管壁を備える導管を設けることであって、この導管壁は前部およびこの前部と対向する後部を含み、前記後部は使用時に患者に面し、前記前部および前記後部は布材料からなり、前記管路壁は導入口および排出口を有し、前記導管壁は、(a)前記導管壁が拡張し、かつ、前記導入口と前記排出口との間を前記供給気体がそれに沿って移動できる導管通路を形成する開いた状態と、(b)前記加圧された気体が存在しない状況下で前記導管壁が前記導管通路を実質的につぶす、つぶれた状態と、の間で変形可能であるようなものである、フレキシブルな導管壁を備える導管を設けることと、
前記導管の前記導入口を前記気体供給部に結合させることと、
前記供給気体が前記導入口から前記排出口へと移動することを可能にするために、前記供給気体によって前記導管壁が前記開いた状態とされるように、前記供給気体を、前記導入口を通して前記導管内へと送達することと、
前記導管の前記排出口を、そこに供給気体が送達されるべき位置に配置することと、を含むことを特徴とする方法。
【請求項３５】
前記導管の少なくとも一部は患者の鼻に適合するよう構成されていることを特徴とする請求項34に記載の方法。
【請求項３６】
前記導管は単一壁導管であることを特徴とする請求項34に記載の方法。
【請求項３７】
前記導管は二重壁導管であることを特徴とする請求項34に記載の方法。
【請求項３８】
前記布は、GORE-TEX(登録商標)、絹、織物材料あるいはPTFEであることを特徴とする請求項34に記載の方法。
【請求項３９】
前記フレキシブル導管壁は複数の材料の積層体であり、前記複数の材料の一つは布材料であることを特徴とする請求項34に記載の方法。
【請求項４０】
前記フレキシブル導管壁は織物材料であることを特徴とする請求項34に記載の方法。
【請求項４１】
前記フレキシブル導管壁はプラスチック材料を含むことを特徴とする請求項34に記載の方法。
【請求項４２】
前記導管の少なくとも一部は気体透過性を有することを特徴とする請求項34に記載の方法。
【請求項４３】
前記患者の鼻の近傍における導管の一部は気体透過性を有することを特徴とする請求項34に記載の方法。
【請求項４４】
前記導管は鼻マスクを具備してなることを特徴とする請求項34に記載の方法。
【請求項４５】
患者に対して、陽圧下で供給気体を送達するための呼吸装置であって、
気体の供給部に対して取り付けられるよう構成されたコネクターであって、センターパイプとこのセンターパイプの周囲に取り付けられるスイベルとを含み、前記スイベルは前記センターパイプを中心として回転可能であるコネクターと、
前部およびこの前部と対向する後部を含む導管であって、前記後部は使用時に患者に面し、前記前部および前記後部はフレキシブルな布材料からなり、前記管路壁は導入口および排出口を有し、前記導入口は前記コネクターに対して取り付けられ、前記排出口は使用時に患者の鼻領域と連係するための鼻インターフェースを含み、前記導管は、気体が供給された際に拡張し、前記コネクターと前記排出口との間を気体が移動することを可能とするよう構成されており、患者の鼻の近傍における前記導管の少なくとも一部は気体透過性を有している導管と、
使用時に患者の頭部に対して前記呼吸装置を固定するための頭部取り付けストラップであって、患者の頭部の後方の周囲で延在するよう構成された頭部取り付けストラップと、
を具備してなることを特徴とする呼吸装置。
【請求項４６】
前記布材料は、クロス、GORE-TEX(登録商標)、絹、織物材料あるいはPTFEであることを特徴とする請求項45に記載の呼吸装置。
【請求項４７】
前記フレキシブル導管壁は織物材料からなることを特徴とする請求項46に記載の呼吸装置。
【請求項４８】
前記フレキシブル導管壁はプラスチック材料からなることを特徴とする請求項46に記載の呼吸装置。
【請求項４９】
前記導管壁は複数の材料の積層体からなり、前記複数の材料の一つは布材料であることを特徴とする請求項46に記載の呼吸装置。
【請求項５０】
前記導管は鼻マスクであることを特徴とする請求項49に記載の呼吸装置。